(57)【要約】【課題】  ネットワークの各種トラブルを解決し、顧客先システムのネットワークの使用を快適にし、ネットワーク利用状況の変化量から、適当な時期でのネットワーク拡張を可能とし、アプリケーションソフトの利用状況を提供し、顧客が戦略的にネットワークを使用できるようにするボトルネックリソース検出システムを提供する。【解決手段】  ポスティングサーバ２１と、ＶＳポーラ２２と、サービスセンタ用コンピュータ３１と、ＶＳレポータ３２とからなり、顧客先ネットワークシステム１を構成するエージェント１１、サーバ１２、スイッチングハブ１３、ルータ１４及びネットワーク１５等のリソースのボトルネックを検出するボトルネックリソース検出システムであって、ポスティングサーバ２１は、サーバ１２から収集したデータを用いてトランザクション単位の応答時間の平均値を補正し算出する機能と、算出した平均値が一定時間を超えたらボトルネックと判断する機能と、ボトルネック発生をサービスセンタ用コンピュータ３１に報告する機能とを有する。【選択図】        図１
2005278079.tif 000002
【特許請求の範囲】
【請求項１】
ポスティングサーバと、ＶＳポーラと、サービスセンタ用コンピュータと、ＶＳレポータとからなり、顧客先ネットワークシステムを構成するエージェント、サーバ、スイッチングハブ、ルータ及びネットワーク等のリソースのボトルネックを検出するボトルネックリソース検出システムであって、
前記ポスティングサーバは、サーバから収集したデータを用いてトランザクション単位の応答時間の平均値を補正し算出する機能と、算出した平均値が一定時間を超えたらボトルネックと判断する機能と、ボトルネック発生をサービスセンタ用コンピュータに報告する機能とを有することを特徴とするボトルネック検出システム。
【請求項２】
請求項１記載のボトルネック検出システムにおいて、
上記ＶＳポーラは、サーバ、スイッチングＨＵＢ、ルータから収集したデータを用い、一定時間に入出力したデータ量の平均値を算出する機能と、算出した平均値が一定量を超えたらボトルネックと判断する機能とを有することを特徴とするボトルネック検出システム。
【請求項３】
請求項２記載のボトルネック検出システムにおいて、
ボトルネック発生の原因を、ＶＳポーラが収集したサーバ、スイッチングＨＵＢ、ルータからのデータを基に判断する機能を有することを特徴とするボトルネック検出システム。
【請求項４】
請求項３記載のボトルネック検出システムにおいて、
上記サーバ、スイッチングＨＵＢ、ルータから収集したデータから、ボトルネックを探し、顧客先システムの表示装置に送出する機能を有することを特徴とするボトルネック検出システム。
【請求項５】
請求項２記載のボトルネック検出システムにおいて、
ＶＳポーラが収集したサーバ、スイッチングＨＵＢ、ルータからのデータを基に、ボトルネックの原因となるリソースを判別する機能を有することを特徴とするボトルネック検出システム。
【発明の詳細な説明】
【技術分野】
【０００１】
本発明は、ボトルネックリソース検出システムであり、ボトルネックになっているネットワークリソースを検出する方法に関する。
【背景技術】
【０００２】
高度情報化社会の実現に向けて、クライアントコンピュータ、ネットワーク管理者用コンピュータ、サーバ、ＨＵＢ、ルータ等の情報通信機器は、会社等で構築されたＬＡＮ（構内ネットワーク）等でネットワーク化されており、そして、ＷＡＮ（広域ネットワーク）等の公衆網に接続されており、インターネット等を利用することが可能となっている。そのため、このネットワークに性能低下等が発生すると、ネットワーク利用者に多大な影響を与えることとなる。そのため、ネットワークに監視装置を設置する事が提案されている。
【０００３】
従来のネットワーク性能管理サービスは、ネットワーク機器単体の性能管理を対象としているため、不十分であり、性能管理対象を全ネットワーク機器とデータ量及びアプリケーションソフトの利用状況に拡張し、モニタ範囲の追加とより正確なボトルネックの分析及び改善、チューニングのコンサルテーションが望まれている。
【発明の開示】
【発明が解決しようとする課題】
【０００４】
本発明は、従来の問題を解決するものであり、ネットワークリソースの統計情報の採取と、エンドユーザが体感しているエラー、レスポンス等の情報を採取することにより、（１）ネットワークの各種トラブルを解決し、顧客先システムのネットワークの使用を快適にし、（２）ネットワーク利用状況の変化量から、適当な時期でのネットワーク拡張を可能とし、（３）アプリケーションソフトの利用状況を提供し、顧客が戦略的にネットワークを使用できるようにするボトルネックリソース検出システムを提供することを目的とする。
【課題を解決するための手段】
【０００５】
本発明は、ポスティングサーバと、ＶＳポーラと、サービスセンタ用コンピュータと、ＶＳレポータとからなり、顧客先ネットワークシステムを構成するエージェント、サーバ、スイッチングハブ、ルータ及びネットワーク等のリソースのボトルネックを検出するボトルネックリソース検出システムであって、前記ポスティングサーバは、サーバから収集したデータを用いてトランザクション単位の応答時間の平均値を補正し算出する機能と、算出した平均値が一定時間を超えたらボトルネックと判断する機能と、ボトルネック発生をサービスセンタ用コンピュータに報告する機能とを有するボトルネックリソース検出システムである。
【０００６】
また、本発明は、上記ＶＳポーラは、サーバ、スイッチングＨＵＢ、ルータから収集したデータを用い、一定時間に入出力したデータ量の平均値を算出する機能と、算出した平均値が一定量を超えたらボトルネックと判断する機能とを有するボトルネックリソース検出システムである。
【０００７】
そして、本発明は、ボトルネック発生の原因を、ＶＳポーラが収集したサーバ、スイッチングＨＵＢ、ルータからのデータを基に判断する機能を有するボトルネックリソース検出システムである。
【０００８】
更に、本発明は、上記サーバ、スイッチングＨＵＢ、ルータから収集したデータから、ボトルネックを探し、顧客先システムの表示装置に送出する機能を有するボトルネックリソース検出システムである。
【０００９】
また、本発明は、ＶＳポーラが収集したサーバ、スイッチングＨＵＢ、ルータからのデータを基に、ボトルネックの原因となるリソースを判別する機能を有するボトルネックリソース検出システムである。
【発明の効果】
【００１０】
本発明によれば、ネットワークの各種トラブルを解決し、顧客先システムのネットワークの使用を快適にし、ネットワーク利用状況の変化量から、適当な時期でのネットワーク拡張を可能とし、アプリケーションソフトの利用状況を提供して、顧客が戦略的にネットワークを使用できるようにすることができる。
【発明を実施するための最良の形態】
【００１１】
本発明を実施するための最良の形態を説明する。
本発明のボトルネックリソース検出システムの実施例について、図面を用いて説明する。図１は、実施例のボトルネックリソース検出システムの説明図である。
【００１２】
実施例を説明する。本実施例のボトルネックリソース検出システムは、図１に示すように、ポスティングサーバ２１、ＶＳポーラ２２、サービスセンタ用コンピュータ３１、ＶＳレポータ３２、ルータ３３等からなる。ポスティングサーバ２１、ＶＳポーラ２２は、顧客先ネットワーク１を構成するエージェント１１、サーバ１２、スイッチングＨＵＢ１３、ルータ１４とはネットワーク１５を介して接続される。サービスセンタ用コンピュータ３１、ＶＳレポータ３２、ルータ３３は、ネットワーク回線４を介して顧客先ネットワーク１と接続される。本実施例のボトルネックリソース検出システムは、サーバから収集したデータを用いてトランザクション単位の応答時間の平均値を補正し算出する機能と、算出した平均値が一定時間を超えたらボトルネックと判断する機能と、ボトルネック発生をサービスセンタ用コンピュータに報告する機能と、サーバ、スイッチングＨＵＢ、ルータから収集したデータを用い、一定時間に入出力したデータ量の平均値を算出する機能と、算出した平均値が一定量を超えたらボトルネックと判断する機能と、ボトルネック発生の原因を、ＶＳポーラが収集したサーバ、スイッチングＨＵＢ、ルータからのデータを基に判断する機能と、サーバ、スイッチングＨＵＢ、ルータから収集したデータから、ボトルネックを探し、顧客先システムの表示装置に送出する機能と、ＶＳポーラが収集したサーバ、スイッチングＨＵＢ、ルータからのデータを基に、ボトルネックの原因となるリソースを判別する機能とを有する。
【００１３】
ポスティングサーバ２１は、エージェント１１からの情報を、例えば１回／１時間の間隔で受取り、また、エージェント１１でエラーが発生すると、エラー情報を受取る。ＶＳポーラ２２は、ネットワーク使用量、エラー発生等の情報やネットワーク機器の性能情報を収集するソフトウエア、例えばバイタルスィート（商品名）を搭載しており、エージェント１１、サーバ１２、スイッチングＨＵＢ１３、ルータ１４、ネットワーク１５等から、例えば生データを５分間隔で収集することができ、また、ＶＳポーラ２２が収集した情報を１時間当りの統計情報に加工するソフトウエアであるアグリゲータを搭載しており、サーバ１２、スイッチングＨＵＢ１３、ルータ１４等の情報からボトルネックを探すことができ、ＶＳレポータ３２を経由し、ボトルネック情報を表示装置１６に送出する。サービスセンタ用コンピュータ３１は、ＶＳポーラ及びアグリゲータに指示を行うソフトウエアであるＶＳマスタを搭載している。ＶＳレポータ３２は、統計情報等を基にレポートを作成し、そして、作成したレポートを、ルータ３３、１４を介してインターネット接続された顧客先ネットワークの表示装置１６等へ送信する。ＶＳポーラ２２、ルータ１４、３３及びサービスセンタ用コンピュータ３１により、ルータ間でインターネットアドレス（ＩＰアドレス）が特定されるＶＰＮ（バーチャルプライベートネットワーク）が構成され、インターネットを専用線として利用させることが可能となる。
【００１４】
本実施例のボトルネックリソース検出システムにおける通常動作を説明する。エージェント１１でエラー発生すると、ポスティングサーバ２１へエラー情報を送出する。ポスティングサーバ２１は、エージェント１１の情報を、例えば１回／１時間で情報を受取る。ＶＳポーラ２２がサーバ１２、スイッチングＨＵＢ１３、ルータ１４等から生データを、例えば１回／５分間隔で収集する。次に、アグリゲータがＶＳポーラ２２の情報を用い、例えば１回／１時間の間隔で統計情報を作成する。作成した統計情報によりボトルネックとなっているネットワークリソースを知ることができる。アグリゲータで作成された統計情報は、ルータ１４及びネットワーク回線４、ルータ３３を介して、サービスセンタ用コンピュータ３１に送信され、格納される。ＶＳレポータ３２は、サービスセンタ用コンピュータ３１に格納された統計情報を用い、インターネット回線４を介して顧客先ネットワークの表示装置１６に表示させる。顧客先ネットワークの管理者は、表示装置１６により、ネットワークの統計情報を得ることができる。
【００１５】
本実施例におけるボトルネック情報について説明する。サービスセンタ用コンピュータ３１は、収集した情報から、ボトルネックの原因となっている又はなりそうなリソースを判別する。リソースとしては、サーバ１２、スイッチングＨＵＢ１３、ルータ１４、ネットワーク１５等がある。サービスセンタは、ボトルネックとなったリソースを把握することにより、サーバについては、例えば性能向上、メモリ増設、サーバ台数の増強を、スイッチングＨＵＢ及びルータについては、例えば性能向上、帯域の向上（１０Ｍｂｐｓ、１００Ｍｂｐｓ、１Ｇｂｐｓ）を、ネットワークについては、回線の再構築等を、それぞれ提案する際のデータとすることができる。
【図面の簡単な説明】
【００１６】
【図１】実施例のボトルネックリソース検出システムの説明図。
【符号の説明】
【００１７】
１１  エージェント
１２  サーバ
１３  スイッチングＨＵＢ
１４  ルータ
１５  ネットワーク
１６  表示装置
２１  ポスティングサーバ
２２  ＶＳポーラ
３１  サービスセンタ用コンピュータ
３２  ＶＳレポータ
３３  ルータ
４  ネットワーク回線
【図１】
2005278079.tif 000003